(57)【要約】      （修正有）【課題】風力発電における風の取り込み方法、特に風を集めて誘導しその風力による発電を実現する構造を提供する。【解決手段】建物自体で風を受け、高層化することで風量を増やし、また発電部は建物自体の内部に設けることによってメンテナンス面でも優位性を持つ。風受け部はエアーポケットを有する構造とし、スイングドア、回転ドア等で風を取込む、風の力を受ける方向からのみ風を取入れ、風を誘導して発電部に押出すドアーは半円柱状が望ましい。内部にはタンクを設け一次クッションの役目を担い、風自体がタンク内で渦を巻く構造とし風の最大限の有効性を図る。また副タンクを設けることで更なる風量を得る。【選択図】図４
2013231421.tif 000002
【特許請求の範囲】
【請求項１】
高層ビル自体が発電のための構造で風を集めて風車を回す方法
【請求項２】
風を集める方法は建物自体で受けること、さらにタンクに一度集めてその風を誘導する、建物は高層階とし東西南北どの方向からも風の力を受けた方向のみ自由に取込める構造
【請求項３】
建物自体を風を取り込みやすい多角形とし、階層自体を多角形の２分の１の角度をずらし、交互に階数を構成し取込部には風受けポケットを設ける
建物自体を多角形にすることで９０度から１２０度の角度で風を受けることができる
【請求項４】
風の力を受けた方向のみから取込める構造とし、スイングドア、または回転ドアの形式で内部タンクへ取込む、また逆流はしない構造とする、風を受けない反対側は弁の役目を担う
【請求項５】
ドアの形状は風を一点に集まる半円柱状、または図９の形状の逆新幹線型が有効な形状
【請求項６】
取込んだ風は噴出口で中心部に向かい、さらに斜め下部方向へ誘導することにより、タンク内で渦を巻いた状態で下部に押出す構造で上層階、下層階の風をより有効に利用できる
【請求項７】
タンク構造は主タンク、副タンク構造でより大きな風量、安定した風量が望める
【請求項８】
タンク構造は風車羽根にあわせた形状に絞り込むことによって風車にあたる風を有効に利用できる
【請求項９】
風車羽根は主羽根、副羽根を設け、可動式にすることで第２の風量調整を可能に風道確保の役割も担う
【請求項１０】
風車羽根は複数枚の構造とし、副羽根は何枚かの羽根に分けて奇数、偶数ごとに取付け位置を変えることによって風通りの効率化を図る
または、羽根全体をらせん状にすることによって連続的でスムーズな回転を得ることが可能である
【請求項１１】
風排出階には円錐状の誘導壁を設けることによって排出の円滑化を図る
【請求項１２】
発電階、放出階を高層階に設置することによって地上に対する排出風の影響回避また、水害等の回避につながる
【発明の詳細な説明】
【技術分野】
【０００１】  本考案は風力発電における風の取り込み方法、特に風を集めて誘導しその風力による発電の実現に関わる構造を示す
【背景技術】
【０００２】  従来の風力発電は直接、風を羽根に受けての発電で広大な敷地と風の方向に羽根の向きを変える必要があります、また落雷、騒音問題等がありますこれらの問題を羽根部を建物の中に設けることで低減することが可能となり、また風を９０度から１２０度の広範囲から風の向きに関係なく取込も可能となりメンテナンス面でも優位性を持つ、大きな特徴は建物自体が発電施設になっていることが特徴
【先行技術文献】
【特許文献】
【０００３】
【特許文献１】特開２００１−３２９９４１
【発明の概要】
【発明が解決しようとする課題】
【０００４】  風を東西南北の、どの方向からでも自由自在に取入れ可能でしかも風量を調整することによって幅を持った風にも対応し安定発電が可能で負の外的要因の低減を図ることが可能となる
【課題を解決しようとする手段】
【０００５】  高層ビル自体が発電する目的で建設、発電部を内部に取込むことでメンテナンス面でも一般に比べ低減が可能となる、また放出階を高層部にすることによって地上に与える風害も防げる
【発明の効果】
自然エネルギーを有効な方法で取り込むことで安心、安全な発電につながり更に、狭い敷地で大きな発電が可能
多目的ビルとしての活用も期待でき、高層となるので非難ビルとしての活用も期待できる
【図面の簡単な説明】［図面］
高層ビル風発電方法を示した説明図である（図１から図１０）
１風取込口  ２主風圧縮タンク  ３副風圧縮タンク  ４主、副圧縮タンク部
５風取込階  ６発電階  ７風放出階  ８排出風誘導壁  ９風車部
１０増速調整機  １１発電機  １２太陽光パネル  １３風取込ポケット
１４スイングドア  １５風誘導口  １６スイングドア形状  １７風取込口
１８取込口台座  １９偶数階層  ２０奇数階層  ２１風車送風部  ２２風車芯
２３主羽根  ２４副羽根  ２５多目的階層部  ２６多目的階層部  ２７最上部階
２８主タンク部  ２９圧力調整階  ３０副タンク部  ３１管制階
３２奇数階、遇数階のズレ角度
２５多目的階層部    商業施設部
銀行、スーパー、食堂、健康施設、レジャーなど
２６多目的階層部    行政施設部
役所、図書館、幼稚園、保育園、図書館、介護施設など
２７最上部階    目的階
展望台、ホテル、会議、食堂街など
【図１】  完成図  パターン１  （ａ）平面図  （ｂ）正面図  （ｃ）側面図
【図２】  完成図  パターン２
【図３】  仮想寸法図
【図４】  Ｂ−Ｂ断面図
【図５】  Ａ−Ａ断面図  タンク部断面図
【図６】  奇数階、遇数回のズレの角度
【図７】  風取入誘導ダクト
【図８】  Ｃ−Ｃ断面図  （ｄ）スイングドアと風誘導ダクト  （ｅ）スイングドア  取込口スイングドアおよび風取入誘導ダクト（各取込部に設置）
【図９】  取込口ドアパターン２
【図１０】  Ｄ−Ｄ断面図  風車部
【図１１】  Ｅ−Ｅ断面図  風放出部
【発明を実施する形態】
【０００６】  本発明の構造は高層ビルで風受窓は１階あたり３〜１０Ｍ程度で多角形にするまた、多くの階層を設けることで東西南北からの風を集める、また階層ごとに風受け部を角数の２分の１ずらすことでスムーズに風を取込む
内部に風受け圧縮タンクを設け直系１０Ｍから４０Ｍ、より大きい方が効果的である、また、高層（５〜１０階）にすることによってより大きな風量を得ることができる、副圧縮タンクを設けることによりさらに多くの風量が得られる
風受け部はエアーポケットを有する構造とし、スイングドア、回転ドア等で風を取込む、風の力を受ける方向からのみ風を取入れ、風を誘導して発電部に押出すドアーは半円柱状が望ましい、また弱い風でも開く軽量構造とし、風を受けない時は閉じる構造とする
風誘導ダクトはタンク内部方向に、また斜め下方に渦を巻き、タンク下部に押す出す構造とすることによって効率的な圧縮を図る
各階層ごとに独立したドアのロックシステムをもってある程度の風量を組合せによって一定の風量調節、安定した発電の役割を担う
【０００７】  主タンク、副タンクは独立した構造としそれぞれ風量調整階を設け調整可能とする
タンクを用いるのは突発の風量の緩衝と強風対策、出力変動の低減化が目的でドアロックシステムとの組合せで風量の安定化の補助的役割を担う
ドアをコンピュウター管理することでさらに安定した風量を得られる
【０００８】  風車部は風車羽根にあわせた構造にし、羽根は主羽根、副羽根を設け副羽根は可変式とし、第２の風量調整と可能とする、これは風道の確保も目的
【００９】  風放出は地上に影響を与えない建物の上層部階で行う、また風車部の下層階に設け１階〜３階構造で放出する、また取込口より負荷を低く抑え、風の流れのスムーズ化を図る
【００１０】  発電高層ビルは２棟を一対とし、お互い保管する、また複数棟なら更なる効果期待できる
【００１１】  山地、海地、居住地の近隣、砂漠地とどこでも建設可能、危険燃料を使用しないので多目的高層ビルとしても期待できる
【産業上の利用可能性】
【００１３】  基本は電力供給である、多目的ビルとしての期待もあり、非難ビル、商業ビルなど色々な組合せで商業、行政、観光などの地域振興の役割も期待できる
商業としての役割も期待でき海外への投資、技術輸出にもつながる、また自然エネルギー、特に太陽光との組合せによる発電増も期待できる
【図１】
2013231421.tif 000003
【図２】
2013231421.tif 000004
【図３】
2013231421.tif 000005
【図４】
2013231421.tif 000006
【図５】
2013231421.tif 000007
【図６】
2013231421.tif 000008
【図７】
2013231421.tif 000009
【図８】
2013231421.tif 000010
【図９】
2013231421.tif 000011
【図１０】
2013231421.tif 000012
【図１１】
2013231421.tif 000013